(57)【要約】【課題】表示装置の内部回路を外界から隔離して長期間の耐久性を確保する。【解決手段】表示装置は、種々の情報を表示する表示デバイス１０２と、情報を記憶する記憶メモリ１０６と、表示デバイス１０２に情報を表示させる表示回路１０５と、給電回路１０８と、外部機器からの情報を受信する受信回路１０９と、記憶メモリ１０６、表示回路１０５、給電回路１０８および受信回路１０９を外界から隔離する封止手段１２０とを備える。【選択図】図３
2008058567.tif 000002
【特許請求の範囲】
【請求項１】
種々の情報を表示する表示デバイスと、
前記情報を記憶する記憶メモリと、
前記表示デバイスに前記情報を表示させる表示回路と、
給電回路と、
外部機器からの前記情報を受信する受信回路と、
前記記憶メモリ、前記表示回路、前記給電回路および前記受信回路を外界から隔離する封止手段とを備えることを特徴とする表示装置。
【請求項２】
請求項１に記載の表示装置において、
前記封止手段は、前記表示デバイスを外界から隔離して封止することを特徴とする表示装置。
【請求項３】
請求項１または２に記載の表示装置において、
前記封止手段は、固体により外界から隔離する固体封止手段および気体により外界から隔離する気体封止手段の少なくともいずれか一方であることを特徴とする表示装置。
【請求項４】
請求項１乃至３のいずれか一項に記載の表示装置において、
前記表示デバイスは、気体中の固体粒子群の移動を用いて種々の情報を表示する固体粒子移動方式の表示デバイスであることを特徴とする表示装置。
【請求項５】
請求項１乃至４のいずれか一項に記載の表示装置において、
前記表示デバイスの画面表示を操作する本体操作部材をさらに備えることを特徴とする表示装置。
【請求項６】
請求項１乃至５のいずれか一項に記載の表示装置において、
前記給電回路は太陽電池を含み、前記太陽電池は、前記表示デバイスの表示面と反対の面に設けられた受光面と、前記受光面に入射する太陽光を電力に変換する電力変換部とを備えることを特徴とする表示装置。
【請求項７】
請求項１乃至５のいずれか一項に記載の表示装置が装着されるクレイドルにおいて、前記給電回路に対して、非接触で電力を供給する電力供給回路を備えることを特徴とするクレイドル。
【請求項８】
請求項１乃至５のいずれか一項に記載の表示装置が装着されるクレイドルにおいて、前記受信回路に対して、非接触で情報を送信する通信回路を備えることを特徴とするクレイドル。
【請求項９】
請求項７または８に記載のクレイドルにおいて、
前記表示デバイスの画面表示を操作する補助操作部材を備えることを特徴とするクレイドル。
【請求項１０】
請求項９に記載のクレイドルにおいて、
前記補助操作部材は、請求項５に記載の前記本体操作部材による操作と、前記本体操作部材による操作とは異なる操作とを行なうように構成されていることを特徴とするクレイドル。
【発明の詳細な説明】
【技術分野】
【０００１】
本発明は、表示装置およびクレイドルに関する。
【背景技術】
【０００２】
電子ペーパーを用いたシート型ディスプレイ装置が知られている。従来のシート型ディスプレイ装置においては、電子ペーパー表示部と、ホストから配信されるデータを受信する受信回路と、各部へ電力を供給するバッテリを備えている（たとえば、特許文献１）。
【特許文献１】特開２００６−３０７１８号公報
【発明の開示】
【発明が解決しようとする課題】
【０００３】
しかしながら、内部回路が外界から隔離されていないので長期間の耐久性に劣るという問題がある。
【課題を解決するための手段】
【０００４】
請求項１の発明による表示装置は、種々の情報を表示する表示デバイスと、情報を記憶する記憶メモリと、表示デバイスに情報を表示させる表示回路と、給電回路と、外部機器からの情報を受信する受信回路と、記憶メモリ、表示回路、給電回路および受信回路を外界から隔離する封止手段とを備えることを特徴とする。
請求項２に記載の発明は、請求項１に記載の表示装置において、封止手段は、表示デバイスを外界から隔離して封止することを特徴とする。
請求項３に記載の発明は、請求項１または２に記載の表示装置において、封止手段は、固体により外界から隔離する固体封止手段および気体により外界から隔離する気体封止手段の少なくともいずれか一方であることを特徴とする。
請求項４に記載の発明は、請求項１乃至３のいずれか一項に記載の表示装置において、表示デバイスは、気体中の固体粒子群の移動を用いて種々の情報を表示する固体粒子移動方式の表示デバイスであることを特徴とする。
請求項５に記載の発明は、請求項１乃至４のいずれか一項に記載の表示装置において、表示デバイスの画面表示を操作する本体操作部材をさらに備えることを特徴とする。
請求項６に記載の発明は、請求項１乃至５のいずれか一項に記載の表示装置において、給電回路は太陽電池を含み、太陽電池は、表示デバイスの表示面と反対の面に設けられた受光面と、受光面に入射する太陽光を電力に変換する電力変換部とを備えることを特徴とする。
請求項７に記載の発明は、請求項１乃至５のいずれか一項に記載の表示装置が装着されるクレイドルにおいて、給電回路に対して、非接触で電力を供給する電力供給回路を備えることを特徴とする。
請求項８に記載の発明は、請求項１乃至５のいずれか一項に記載の表示装置が装着されるクレイドルにおいて、受信回路に対して、非接触で情報を送信する通信回路を備えることを特徴とする。
請求項９に記載の発明は、請求項７または８に記載のクレイドルにおいて、表示デバイスの画面表示を操作する補助操作部材を備えることを特徴とする。
請求項１０に記載の発明は、請求項９に記載のクレイドルにおいて、補助操作部材は、請求項５に記載の本体操作部材による操作と、本体操作部材による操作とは異なる操作とを行なうように構成されていることを特徴とする。
【発明の効果】
【０００５】
本発明によれば、表示装置における表示デバイス、記憶メモリ、表示回路、給電回路および受信回路が、封止手段により外界から隔離される。このため、耐久性が向上する。
【発明を実施するための最良の形態】
【０００６】
−第一の実施の形態−
以下、図面を参照して本発明における第一の実施の形態について説明する。図１は、本発明の第一の実施の形態による表示装置１００の外観図である。
【０００７】
表示装置１００は、図１（ｂ）に示すように、クレイドル２００と共に使用することもできる。クレイドル２００の説明は後述する。表示装置１００は、図１（ａ）に示すように、薄板状の筐体１０１と、表示デバイス１０２と、操作部材１０３とを有する。筐体１０１は化学的、熱的に安定で強度のある素材、たとえば強化ガラス、金属、石英、セラミックなどが用いられる。また、筐体１０１の接合部は溶着により接合され、ネジなどを使用せずに組み立てられる。その結果、筐体１０１の内部は気密が保たれる。表示デバイス１０２は、後述するメモリ１０６内に記録されている情報を表示するもので、気体中の固体粒子群の移動を用いる方式で各種情報を表示する電子ペーパーである。
【０００８】
表示デバイス１０２の表示原理は以下の通りであり、液体を用いるものに比べて経年変化による画質の劣化を抑制できる。表示デバイス１０２には、対向する２枚の基板間に少なくとも２種類の帯電特性の異なる画像表示媒体（粒子群または粉流体）が封入されている。後述する表示回路１０５により印加される電界に応じて、画像表示媒体が泳動して表示デバイス１０２に情報が形成される。すなわち、付与された電界方向に沿って、高電位側に向かっては低電位に帯電した画像表示媒体が電界力やクーロン力などによって引き寄せられる。また、低電位側に向かっては高電位に帯電した画像表示媒体が電界の力やクーロン力などによって引き寄せられる。表示回路１０５により印加される電界方向が変化すると、画像表示媒体が基板間を往復運動する。その結果、表示デバイス１０２に画像が表示される。したがって、液晶や液体中の電気泳動による方式などの液体を含む部品を表示デバイス１０２に使用しないので、液漏れによる筐体１０１内部の腐食を防止することができる。
【０００９】
操作部材１０３は、表示デバイス１０２の画面表示を操作、たとえばコマ送り、コマ戻しなどを行なうための操作スイッチである。ユーザにより操作部材１０３が操作されると、その操作に応じた操作信号を後述する制御回路１０４へ出力する。操作部材１０３は、表面に操作説明のアイコンなどの表示を備えた容量結合型タッチパネルである。タッチパネルは人体等の接触による電界変化を検出することで操作を検知することができる。タッチパネルは、電気接点スイッチ等と異なり機械動作を含まず、電気接点を使用しないなどの特徴を有する。したがって、タッチパネルは動作不具合が発生しにくいので、長期の使用が可能となる。
【００１０】
表示装置１００の筐体１０１の内部には、図２に示すように、表示デバイス１０２、操作部材１０３、制御回路１０４、表示回路１０５、メモリ１０６、電源回路１０７、受電回路１０８、通信素子１０９が設けられる。これらの各要素は筐体１０１により内包され、大気中の水分や活性ガスなどの影響を受けないように遮断、すなわち外界から隔離されている。制御回路１０４は、筐体１０１内部の上記の各種電子回路を制御する。たとえば、制御回路１０４が操作部材１０３から入力した操作信号に基づいてメモリ１０６から画像ファイルを読み出すと、表示回路１０５により表示デバイス１０２に画像が表示される。すなわち、表示回路１０５は、制御回路１０４によりメモリ１０６から読み出された画像ファイルに基づいて、前述したように表示デバイス１０２に電界を印加する。その結果、表示デバイス１０２には、画像ファイルに対応した画像が表示される。
【００１１】
メモリ１０６には、表示デバイス１０２に表示する画像ファイルなどの情報が記録される。メモリ１０６は物理的に分離された複数、たとえば３個の記録素子１０６ａ〜ｃで構成される。それぞれの記録素子１０６ａ〜ｃには同一の情報が冗長記録される。すなわち、メモリ１０６はＲＡＩＤ（Ｒｅｄｕｎｄａｎｔ  Ａｒｒａｙ  ｏｆ  Ｉｎｄｅｐｅｎｄｅｎｔ）を構成する。
【００１２】
ＲＡＩＤとは、複数台のハードディスクなどの記録装置に対してデータを分散記録する技術である。ＲＡＩＤには、その性質や機能によりＲＡＩＤ０〜ＲＡＩＤ５まで区分される。本実施の形態においては、ＲＡＩＤ１を用いるものとする。ＲＡＩＤ１は、複数のディスクに同一のデータを記録することでデータに冗長性を持たせる。あるディスクに障害が発生した場合には、同一のデータが記録された他のディスクが代替として機能する。したがって、記録素子１０６ａ〜ｃのうちいずれか１つが動作しない場合や、メモリのビットが一部で反転するなどの不具合が生じた場合であっても、欠損なく情報を再生することができる。
【００１３】
受電回路１０８は、電磁誘導により、クレイドル２００から非接触で電力の供給を受ける。クレイドル２００から供給された電力は、受電回路１０８から電源回路１０７に送られる。電源回路１０７は、供給された電力を調節するレギュレータである。電源回路１０７で調節された電力は、各電子回路に送られる。このように、電解コンデンサや電解液を使用する電池などの液体を含む部品を筐体１０１内部に使用しないので、液漏れによる内部の腐食を防止することができる。
【００１４】
通信素子１０９は、クレイドル２００から画像ファイルなどの種々の情報およびクレイドル２００の操作部材２０１からの操作信号を受信する。通信素子１０９は、光通信などにより、クレイドル２００と非接触で情報を受信する。クレイドル２００から受信した画像ファイルは、通信素子１０９から制御回路１０４を介してメモリ１０６に冗長記録される。また、制御回路１０４は、通信素子１０９を介して受信した操作信号に基づいてメモリ１０６から画像ファイルを読み出す。
【００１５】
上述した各種の電子回路は、図３に示す基板１１０上に設けられる。電子回路は超音波溶着により基板１１０と接合される。すなわち、接着剤やハンダなどの中間媒体を使用しない。その結果、中間媒体の劣化による接合外れや、中間媒体から放出される揮発物による他の部品の劣化を防止する。
【００１６】
基板１１０およびその他の内部部品は、図３に示すように、セラミックなどの無機固体物質や樹脂による封止材１２０により封止される。すなわち、図３の斜線部で示す筐体１０１の内部の空間に樹脂やセラミックが充填される。その結果、筐体１０１の内部を腐食させる恐れのある大気中の水分から基板１１０および内部部品を遮断することができる。
【００１７】
次に、上述した表示装置１００に装着されるクレイドル２００について説明する。
図１（ｂ）に示すように、表示装置１００に装着されるクレイドル２００の外面には、操作部材２０１と外部電源２０２とが設けられている。操作部材２０１は、操作部材１０３と同様に、表示デバイス１０２の画面表示、たとえばコマ送り、コマ戻しなどを行なうための操作スイッチである。さらに、操作部材２０１により、操作部材１０２では行えない操作、たとえば画像のスクロール操作などが可能になる。操作部材２０１は、ユーザの操作に応じた操作信号を制御回路２０３に出力する。外部電源２０２は、たとえばコンセントなどから電力の供給を受ける。
【００１８】
クレイドル２００の内部には、図２に示すように、制御回路２０３、電源回路２０４、送電回路２０５、着脱検出部２０６、メモリカード２０８が装着されるメモリカードスロット２０７、外部インタフェース２０９、通信素子２１０が設けられる。制御回路２０３は、クレイドル２００内の各回路の動作を制御する。着脱検出部２０６は、クレイドル２００に表示装置１００が装着されたことを検出する。着脱検出部２０６は検出部位２０６ａを有している。表示装置１００がクレイドル２００に装着され、検出部位２０６ａが表示装置１００により押下されると、着脱検出部２０６は制御回路２０３にオン信号を出力する。
【００１９】
電源回路２０４は、外部電源２０２から供給された電力を各電子回路に送電する。制御回路２０３は、着脱検出部２０６からオン信号を入力した場合は、電源回路２０４に対して送電回路２０５への送電を指示する。送電回路２０５は、前述した受電回路１０８と同様に、電磁誘導などの方式により、受電回路１０８に対して非接触で電力を供給する。
【００２０】
メモリカードスロット２０７は、メモリカード２０８とデータ通信をするためのインタフェースである。外部インタフェース２０９は、所定のケーブルや無線伝送路を介してＰＣ等の外部装置とデータ通信を行なうためのインタフェースである。メモリカードスロット２０７にメモリカード２０８が装着された場合、もしくは外部インタフェース２０９に外部機器が接続された場合、制御回路２０３はメモリカード２０８もしくは外部機器から画像ファイルを読み出す。読み出された画像ファイルは、制御回路２０３により、通信素子２１０を介して表示装置１００に送信される。
【００２１】
制御回路２０３は、読み出した画像ファイルおよび操作部材２０１から入力した操作信号を通信素子２１０へ出力する。通信素子２１０は、通信素子１０９と同様に、無線通信や光通信などにより、表示装置１００と非接触で情報を送信する。
【００２２】
以上で説明した第一の実施の形態による表示装置によれば、以下の作用効果が得られる。
（１）従来、銀塩フィルムで撮影した写真は印画紙に焼き付けて保存している。この場合、印画紙に焼き付けた写真の耐用年数は、数十年〜100年以上にも及ぶ。しかしながら、デジタルカメラで撮影し記録媒体に電子的に保存した画像を鑑賞する画像表示装置の耐用年数は、通常の電子機器と同様に１０年程度である。そのため、たとえば子供が出生してから成人するまでの記録写真を画像表示装置に保存した場合、せいぜい１０年間程度しか鑑賞することができない。そこで、上記実施の形態の表示装置のように、従来の印画紙による写真の保存期間を考慮した設計とすることにより、１０年以上の長期にわたって電子画像鑑賞装置として使用することができる。
【００２３】
（２）表示装置１００では、制御回路１０４、表示回路１０５、メモリ１０６、電源回路１０７、受電回路１０８、通信素子１０９などの電子部品が筐体１０１の内部に設けられ、上述したように、外界から隔離されるように封止されている。したがって、外界の水分などによる腐食や、可動部品および接点の劣化による故障要因を減じることができるので、表示装置１００の長期の使用が可能になる。
【００２４】
（３）さらに、上記の電子部品をセラミックなどの無機固体物質や樹脂などの封止材１２０により封止して外界から隔離するようにした。したがって、筐体１０１内部の気体中の水分などによる腐食などを防ぐことができるので、表示装置１００の耐久性が向上し、長期間の使用が可能になる。
【００２５】
（４）表示デバイス１０２は、気体中の固体粒子群の移動を利用した固体粒子移動方式による表示方式を用いるようにした。したがって、液晶や液体中の電気泳動による方式などの液体を含む部品を表示デバイス１０２に使用しないので、液漏れなどによる筐体１０１内部の腐食を防止することができる。
【００２６】
（５）表示装置１００は、内部に電池を備えず、クレイドル２００の送電回路２０５より、受電回路１０８を介して非接触で電力の供給を受けるようにした。したがって、電解コンデンサや電解液を使用する電池などの液体を含む電子部品が筐体１０１内部に設けられないので、液漏れなどによる内部の腐食を防止することができる。さらに、受電回路１０８は電磁誘導により非接触で電力の供給を受けるので、外部と接続する接点が不要となる。したがって、接点による不具合の発生を防ぐことができるので、表示装置１００を長期間使用することができる。
【００２７】
（６）表示装置１００は、通信素子１０９を介して、クレイドル２００の通信素子２１０から非接触で情報を受信するようにした。通信素子１０９および２１０は光通信により情報を送受信することができる。したがって、外部と接続する接点が不要となり、接点による不具合の発生を防ぐことができるので、表示装置１００を耐久性が向上する。
【００２８】
（７）クレイドル２００に操作部材２０１を設けた。操作部材２０１はコマ送りやコマ戻しなどの表示装置１００の操作部材１０３で可能な操作に加えて、操作部材１０３では行うことのできないスクロールなどの固有の操作を行なうことができる。したがって、クレイドル２００が装着された状態であっても、表示装置１００の操作を行なうことができるので、利便性が向上する。
【００２９】
（８）メモリ１０６を物理的に分離された複数の記録素子１０６ａ〜ｃで構成した。そして、記録素子１０６ａ〜ｃに情報を冗長記録するようにした。長期間の保存によりメモリ１０６内の記録情報が不安定となった場合や、記録情報の一部が欠損しても記録情報を再生することができる。したがって、表示装置１００に情報を長期間保存することができるので、表示装置１００の耐用年数を延ばすことができる。
【００３０】
−第二の実施の形態−
第二の実施の形態による表示装置３００を図４および図５を参照して説明する。
図４に示す表示装置３００は図５に示すラック４００に装着して使用することができる。図４において、表示装置３００は、表示デバイス３０２、受電回路３０８、通信素子３０９、サブ表示デバイス３１１を有する。図５において、ラック４００は、外部電源から不図示の電源回路へ電源を供給するコンセント４０１、送電回路４０２、通信素子４０３を有する。すなわち、表示装置３００をラック４００に立てて並べた状態で、表示装置３００は、受電回路３０８を介してラック４００の送電回路４０２から給電を受ける。また、表示装置３００は、通信素子３０９とラック４００の通信素子４０３と介して、パソコンなどの外部機器と情報を送受信する。第一の実施の形態における表示装置１００との相違点を主に説明する。
【００３１】
図４により表示装置３００をさらに説明する。表示装置３００の受電回路３０８は、表示装置３００の筐体３０１の下部端面に設けられる。受電回路３０８は、ラック４００の送電回路４０２から電力の供給を受ける。受電回路３０８は誘導電流装置である。すなわち、受電回路３０８は電磁誘導により、ラック４００と非接触で電力の供給を受けることができる。
【００３２】
表示装置３００の通信素子３０９は、図４に示すように、表示装置３００の筐体３０１の上部端面、すなわち受電回路３０８とは反対側の端面に設けられる。通信素子３０９は、光通信などにより、ラック４００と非接触で情報を送受信するものであり、送信素子３０９ａと受信素子３０９ｂとを有する。送信素子３０９ａは、表示装置３００のＩＤやメモリ３０６内の画像ファイルなどをラック４００を介してパソコン１０に送信する。受信素子３０９ｂは、ラック４００を介してパソコン１０から画像ファイルなどの情報を受信する。
【００３３】
表示装置３００の側面には、図４に示すようにサブ表示デバイス３１１が設けられている。サブ表示デバイス３１１は、メモリ３０６に記録されている情報の題名などを表示するために用いられる。サブ表示デバイス３１１は、第一の実施の形態の表示装置１００における表示デバイス１０２と同様に、気体中の固体粒子群の移動を用いる方式で情報を表示する。表示回路３０５は、制御回路３０４によりメモリ３０６から読み出された画像ファイルのファイル名などに基づいて、サブ表示デバイス３１１に電界を印加する。その結果、サブ表示デバイス３１１には画像ファイルのファイル名などに対応した文字情報が表示される。上述した各種の内部部品は、第一の実施の形態における表示装置１００と同様に、セラミックなどの無機固体物質や樹脂などの封止材３２０により封止される。
【００３４】
図５に示すように、表示装置３００を収納するラック４００の送電回路４０２は、コンセント４０１を介して商用電源から電力の供給を受ける。供給された電力は、送電回路４０２へ送られる。送電回路４０２は、受電回路３０８と同様に誘導電流装置である。すなわち、送電回路４０２に送られた電力は、電磁誘導により、受電回路３０８に対して非接触で電力を供給する。したがって、表示装置３００がラック４００内に斜めに収納された状態であっても、表示装置３００は電力の供給を受けることができる。なお、ラック４００から取り出された表示装置３００は、第一の実施の形態で用いたクレイドル２００に装着して使用することもできる。
【００３５】
通信素子４０３はラック４００の上面部に設けられる。通信素子４０３は有線もしくは無線で接続されたパソコン１０と表示装置３００との情報の送受信を行なう。通信素子４０３は、送信素子４０３ａと受信素子４０３ｂとを有する。送信素子４０３ａは、パソコン１０内に記録された画像ファイルを表示装置３００の受信素子３０９ｂへ出力する。受信素子４０３ｂは、表示装置３００から受信したＩＤや画像ファイルなどをパソコン１０に送信する。通信素子４０３は、通信素子３０９と同様に、光通信などにより、表示装置３００と非接触で情報を送信する。
【００３６】
パソコン１０から表示装置３００への情報の送信は、パソコン１０で専用のアプリケーションからプログラムを起動することにより行なわれる。このプログラムは、パソコン１０内の制御回路１１により実行される。アプリケーションが起動されると、制御回路１１は送信素子４０３ａおよび受信素子３０９ｂを介して表示装置３００に対してＩＤおよび表示装置３００が記録している画像ファイルの送信を要求する。表示装置３００から受信素子４０３ｂを介してＩＤおよび画像ファイルを受信すると、制御回路１１は、受信した画像ファイルに対応する画像をモニタ１２に表示する。パソコン１０内のメモリ１４に記録されている画像ファイルの中から、ユーザにより選択された画像ファイルが制御回路１１により読み出される。画像ファイルの選択は、パソコン操作部１３の操作により行われる。読み出された画像ファイルに対応する画像は、制御回路１１によりモニタ１２に表示される。
【００３７】
ユーザは、モニタ１２に表示された画像を見比べることにより、パソコン１０から表示装置３００へ転送する画像や、表示装置３００から削除する画像を選択することができる。画像の選択は、ユーザがパソコン操作部１３を操作することで行う。ユーザにより画像を表示装置３００へ転送する操作が行われると、パソコン操作部１３は制御回路１１に画像転送信号を出力する。制御回路１１は、パソコン操作部１３から画像転送信号を入力すると、ユーザにより選択された画像ファイルを表示装置３００へ送信する。選択された画像ファイルは、送信素子４０３ａおよび受信素子３０９ｂを介して表示装置３００の制御回路３０４へ送信される。制御回路３０４は、受信した画像ファイルをメモリ３０６へ記録する。なお、画像ファイルは、第一の実施の形態と同様に冗長記録される。
【００３８】
パソコン操作部１３からユーザにより表示装置３００の画像を削除する操作が行われると、パソコン操作部１３は制御回路１１に画像削除信号を出力する。制御回路１１は、パソコン操作部１３から画像削除信号を入力すると、ユーザにより選択された画像ファイルを表示装置３００から削除する指示（削除指示信号）を表示装置３００に対して送信する。削除指示信号は、送信素子４０３ａおよび受信素子３０９ｂを介して表示装置３００の制御回路３０４へ送信される。制御回路３０４は、削除指示信号に応じて、記録されている画像ファイルをメモリ３０６から削除する。
【００３９】
以上で説明した第二の実施の形態による表示装置３００とパソコン１０との間の情報の送受信動作について、図６に示すフローチャートを用いて説明する。図６の各処理を行なうプログラムは制御回路１１内のメモリ（不図示）に格納されており、専用のアプリケーションが起動されたことを示す信号が入力されると起動され、制御回路１１で実行される。
ステップＳ１においては、表示装置３００に対してＩＤと画像ファイルの送信を要求してステップＳ２へ進む。ステップＳ２においては、表示装置３００からＩＤと画像ファイルを受信したか否かを判定する。受信した場合は、ステップＳ２が肯定判定されてステップＳ３へ進む。ステップＳ３においては、受信した画像ファイルに対応する画像をモニタ１２に表示してステップＳ４へ進む。ＩＤと画像ファイルを受信しない場合は、ステップＳ２が否定判定されて、受信するまでステップＳ２を繰り返す。
【００４０】
ステップＳ４においては、ユーザにより画像ファイルの選択が行なわれたか否かを判定する。パソコン操作部１３から画像ファイルを選択する信号を入力した場合、すなわちユーザによる画像ファイルの選択が行なわれた場合、ステップＳ４が肯定判定されてステップＳ５へ進む。ステップＳ５においては、選択された画像ファイルをメモリ１４から読み出しステップＳ６へ進む。パソコン操作部１３から画像ファイルを選択する信号を入力しない場合は、ステップＳ４が否定判定されて、ユーザによる画像ファイルの選択が行なわれるまでステップＳ４を繰り返す。
【００４１】
ステップＳ６では、ステップＳ５で読み出した画像ファイルに対応する画像をモニタ１２に表示してステップＳ７へ進む。ステップＳ７では、ユーザにより画像ファイルの転送を指示する操作が行われたか否かを判定する。パソコン操作部１３より画像転送信号を入力した場合、ステップＳ７が肯定判定されてステップＳ８へ進む。ステップＳ８においては、ステップＳ４で選択された画像ファイルを送信素子４０３ａを介して表示装置３００へ送信してステップＳ１１へ進む。画像転送信号を入力しない場合は、ステップＳ７が否定判定されてステップＳ９へ進む。
【００４２】
ステップＳ９においては、パソコン操作部１３から画像削除信号を入力したか否かを判定する。画像削除信号を入力した場合は、ステップＳ９が肯定判定されてステップＳ１０へ進む。ステップＳ１０では、削除指示信号を送信素子４０３ａを介して表示装置３００へ送信してステップＳ１１へ進む。画像削除信号を入力しない場合は、ステップＳ９が否定判定されてステップＳ１０をスキップしてステップＳ１１へ進む。
【００４３】
ステップＳ１１においては、パソコン操作部１３より専用アプリケーションを終了する信号を入力したか否かを判定する。アプリケーションを終了する信号を入力した場合は、ステップＳ１１が肯定判定されて一連の処理を終了する。アプリケーションを終了する信号を入力しない場合は、ステップＳ１１が否定判定されてステップＳ４へ戻る。
【００４４】
以上で説明した第二の実施の形態の表示装置によれば、第一の実施の形態の表示装置により得られる作用効果に加えて、以下の作用効果が得られる。
（１）表示装置３００の受電回路３０８と通信素子３０９とを筐体３０１の互いに対向して離れた面に配置した。したがって、受電時の電磁誘導によるノイズ等から通信素子３０９を隔離することができるので、情報の送受信が確実に実行される。
【００４５】
（２）表示装置３００をラック４００に収納した状態であっても、表示装置３００への給電およびパソコン１０から表示装置３００内の情報にアクセスを可能にした。したがって、表示装置３００の受電および画像ファイルの転送、削除などの操作を行なう際に、ラック４００から取り出してアダプタに装着する必要がなくなるので、利便性が向上する。
【００４６】
−第三の実施の形態−
第三の実施の形態の表示装置５００について、第一の実施の形態の表示装置１００との相違点を主に説明する。表示装置５００は、筐体５０１に太陽電池５０８を内蔵する。図７の断面図に示すように、太陽電池５０８の受光面は、表示デバイス３０２の表面と反対の面に設けられる。筐体５０１のうち、太陽電池５０８の受光面と重複する範囲５０１ａについては、透光性を有する材料が用いられる。たとえば、強化ガラスや透光性を有するセラミックなどが用いられる。また、表示装置５００を構成する内部部品は、表示装置１００および３００と同様に、セラミックなどの無機固体物質や樹脂などの封止材５２０により封止される。
【００４７】
筐体５０１の透明部５０１ａを透過した光は、太陽電池５０８により光電変換される。光電変換により生成された電力は、電源回路５０７へ送られる。電源回路５０７は供給された電力を調節する。電源回路５０７で調節された電力は、ガラス基板５１０上の各電子回路に送られる。
【００４８】
以上で説明した第三の実施の形態による表示装置によれば、特に以下の作用効果が得られる。
表示装置５００は、筐体５０１内部に太陽電池５０８を備える。太陽電池５０８の受光面は表示デバイス５０２の表面と反対の面に設けられている。太陽電池５０８は、受光面に入射した太陽光を光電変換により電力を生成する。したがって、表示装置５００自身で電力を生成するので、クレイドルなどの外部機器による給電機器を必要とせず、外部機器装着に伴う大型化を回避することができる。
【００４９】
以上で説明した実施の形態の表示装置を以下のように変形できる。
（１）筐体１０１内部にセラミックなどの無機固体物質や樹脂などの封止材１２０を封入して封止するものに代えて、図８（ａ）に示すように、筐体１０１の内部空間に乾燥窒素などの不活性の乾燥気体５０１を封入して封止してもよい。もしくは、図８（ｂ）に示すように、表示装置１００の構造などの要因により、固体による封止ができない箇所５０２に乾燥気体５０１を封入する気体封止を用いてもよい。すなわち、固体および気体により封止してもよい。さらに、図８（ｃ）に示すように、表示デバイス１０２の表示面を透光性のセラミックなどの光透過性を有する固体物質１２０ａを用いて封止して、外界から隔離するものでもよい。
【００５０】
（２）クレイドル２００から表示装置１００へ画像ファイルを転送する際に、メモリカード２０８の画像ファイルをそのまま転送するものとして説明した。しかし、表示デバイス１０２の表示能力、すなわち画素数に対応した形に変換してから転送してもよい。もしくは、メモリカード２０８に記録されている画像ファイルの一覧を表示デバイス１０２に表示して、ユーザにより選択された画像ファイルのみ転送するようにしてもよい。この場合の選択操作は、操作部材２０１により行われる。
【００５１】
（３）表示装置の操作部材を、容量結合型タッチパネルに代えて、光学式のタッチパネルを用いてもよい。この場合、筐体のうち操作部材と重複する範囲は強化ガラスや透光性を有するセラミックなどの透明な材料を用いる。
【００５２】
（４）クレイドル２００に操作部材２０１を設けず、給電のみ行うようにしてもよい。この場合、表示装置１００の操作は、操作部材１０２により行われる。
（５）クレイドル２００やラック４００に外部電源２０２や４０１を備えるものに代えて、クレイドル２００やラック４００の内部に電池を備えるようにしてもよい。
【００５３】
（６）従来の電子書籍と本発明の実施の形態における表示装置との構成を比較した図を、図９に示す。表示装置の筐体の用途や要求コストなどに応じて、本実施の形態における構成を適宜選択するようにしてもよい。
【００５４】
（７）電子回路を金属薄膜を形成したガラス基板上に設けてもよい。この場合、一般的な樹脂基板に比べて劣化を抑制することができる。
【００５５】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５６】
【図１】本発明の第一の実施の形態による表示装置およびクレイドルを説明する外観図である。
【図２】第一の実施の形態による表示装置およびクレイドルの要部構成を説明するブロック図である。
【図３】表示装置の内部断面を説明する図である。
【図４】本発明の第二の実施の形態による表示装置を説明する透視図である。
【図５】第二の実施の形態による表示装置を収納するラックを説明する斜視図である。
【図６】第二の実施の形態による表示装置とパソコン間の情報の送受信動作を説明するフローチャートである。
【図７】本発明の第三の実施の形態における表示装置の内部断面を説明する図である。
【図８】実施の形態の変形例における表示装置の内部断面を説明する図である。
【図９】従来の電子書籍と実施の形態による表示装置との構成を比較する図である。
【符号の説明】
【００５７】
１００、３００、５００  表示装置        １０１、３０１、５０１  筐体
１０２、３０２、５０２  表示デバイス    １０３、３０３、５０３  操作部材
１０４、３０４、５０４  制御回路        １０５、３０５、５０５  表示回路
１０６、３０６、５０６  メモリ          １０８、３０８          受電回路
１０９、３０９、５０９  通信素子        １２０、３２０、５２０  封止材
５０８  太陽電池                        ２００  クレイドル
２０１  操作部材                        ２０３  制御回路
２０５  送電回路                        ２０８  メモリカード
２１０  通信素子                        ４００  ラック
４０２  送電回路                        ４０３  通信素子
【図１】
2008058567.tif 000003
【図２】
2008058567.tif 000004
【図３】
2008058567.tif 000005
【図４】
2008058567.tif 000006
【図５】
2008058567.tif 000007
【図６】
2008058567.tif 000008
【図７】
2008058567.tif 000009
【図８】
2008058567.tif 000010
【図９】
2008058567.tif 000011